(57)【要約】      （修正有）【課題】希望に応じてインソールの適当位置に一つもしくは複数の弾性のマッサージ用突出体を装着し、人体のフット部を最も快適にマッサージするインソールを提供する。【解決手段】本インソールは、平面の本体と複数のマッサージ用突出体を組み合わせて構成する。前記本体は、人体の足底の各ツボに対応する位置に最低一つもしくは複数の嵌合穴を設け、各嵌合穴内には突出体を嵌設するかしないかを選択可能である。前記突出体は、相互に螺合結合する台部と蓋部、中間に内設するバネと可動ヘッドによって構成され、可動ヘッドの上端を蓋部の軸孔から突出させ、可動ヘッドはバネの働きによって弾性をもって突出する。インソールに嵌設する突出体の何れも人体のフット部に快適なマッサージ効果を提供し、希望に応じて台部と蓋部を回転して突出体を異なる高さに変化させインソールのマッサージ効果を調節することも可能である。【選択図】図１
0003160575.tif 000002
【実用新案登録請求の範囲】
【請求項１】
人体の足底の各ツボに対応する位置に最低一つもしくは複数の嵌合穴を設ける平面の本体と、
台部と蓋部を相互に螺合結合し、中間にはバネと可動ヘッドを内設し、可動ヘッドの上端は蓋部の軸孔から突出させ、可動ヘッドはバネの働きによって弾性をもって突出する複数の突出体とを備え、
希望に合わせて、インソールの適当位置に一つもしくは複数の突出体を装着して人体のフット部に快適なマッサージを提供することを特徴とするインソール。
【請求項２】
前記本体は、人体の足底の各ツボに対応する位置に設ける複数の嵌合穴を備えることを特徴とする請求項１記載のインソール。
【請求項３】
前記突出体は、台部の外側周囲エッジに設ける外ネジ山とその軸心端に設ける内設溝とを備え、前記蓋部には、内側周囲エッジに設け台部の外ネジ山と丁度対応し相互を回転させて結合させる内ネジ山と、蓋部の軸心端に設けて可動ヘッドの上端を突出させるための軸孔とを備えることを特徴とする請求項１記載のインソール。
【請求項４】
前記突出体は台部と蓋部を回転して異なる高さに変化可能であることを特徴とする請求項１記載のインソール。
【考案の詳細な説明】
【技術分野】
【０００１】
本考案はインソールであり、特に、需要に応じてインソールの適当位置に一つもしくは複数の弾性マッサージ用突出体を備えて人体のフット部に最も快適なマッサージを提供し、並びに、需要に応じて突出体を異なる高さに変化させてインソールのマッサージ効果を調節する、新世代の改良型設計に属するインソールである。
【背景技術】
【０００２】
公知のインソールの主な効果は、靴内に配置して人体の足底と靴内の間の重力を緩衝させ、靴を履いた後または歩行時の人体のフット部の快適性を高めることにあり、公知のインソールには、インソール表面に複数の突出した粒状マッサージ体を一体成型したものもあり、また、インソールの挟み込み層内に複数のマッサージ体を配置した設計もあり、これにより足底にマッサージ効果を持たせたインソールを構成する。
【０００３】
しかし、漢方医学の関連文献によれば、人体の足底の異なる箇所のツボは概ね人体体内の器官に対応しており、人体のフット部が長時間、身体の重量の圧力を受けた後、足底のツボが適当で快適なマッサージを受けたなら、対応する器官にもまたプラスの影響があり、適当に足底をマッサージすることで人体フット部の圧力を快適に解き放つ助けをする。これに反して、もし足底のツボが不適当な外力による圧迫を受けたりして、マッサージする突出体位置が不正確である場合、人体器官に優れた効果を与える助けにならないばかりか、ひどい場合には、身体の不都合を招いてしまうことは、周知の通りである。前記の伝統的なマッサージインソールは、マッサージ突出体が何れもインソールの固定位置に一体成型されている為、マッサージ位置が不正確となり易く、足底に対して不適当な外力圧迫を与えるという欠点がある。
【考案の概要】
【考案が解決しようとする課題】
【０００４】
これに鑑み、本考案は新規設計のインソールを提供し、効果的に前述の公知のマッサージインソールの欠点を改善する。
【０００５】
本考案の主な目的は、希望に応じてインソールの適当位置に一つもしくは複数の弾性のマッサージ用突出体を装着し、人体のフット部を最も快適にマッサージするインソールを提供することにある。
【０００６】
本考案のもう一つの目的は、希望に応じて前述の各弾性のマッサージ用突出体を異なる高さに変化させて最も良好なマッサージ効果に調節するインソールを提供することにある。
【課題を解決するための手段】
【０００７】
前述の目的を実現する為に、本考案は次の技術手段を採用する。
【０００８】
本考案のインソールは、平面の本体と複数のマッサージ用の突出体を組み合わせて構成する。
【０００９】
前記本体は、人体の足底の各ツボに対応する位置に最低一つもしくは複数の嵌合穴を設け、各嵌合穴内に突出体を嵌設するか嵌設しないことを選択可能とする。
【００１０】
前記突出体は、台部と蓋部を共に螺合して中間にバネと可動ヘッドを内設して組み合わせ構成される。
【００１１】
また、前記突出体の可動ヘッドの上端は蓋部の軸孔から突出しており、バネによって可動ヘッドを突出延伸させて弾性を持たせる。
【００１２】
組立てにおいては、各突出体を緊密にインソールの本体の任意の嵌合穴に嵌設したりして、突出体を嵌合穴から取り外すことも可能である。
【考案の効果】
【００１３】
実際の応用では、使用者の希望に応じて、インソールの足底のマッサージを必要とするツボ位置に対応させて、当該位置の一つもしくは複数の嵌合穴内にマッサージの突出体を嵌設し、特定の足底ツボに快適マッサージを行うインソールを構成し、予定する目的を達成する。
【００１４】
また、使用者は希望に応じて、マッサージ用突出体の台部と蓋部を回転して突出体を異なる高さに変化させてインソールのマッサージ効果を調節する。
【図面の簡単な説明】
【００１５】
【図１】本考案インソールの実施例に関する外観図である。
【図２】本考案インソールの適当な嵌合穴内に突出体を設置した使用状態の外観図である。
【図３】図２の突出体に関する拡大図である。
【図４】図３の突出体に関する分解断面図である。
【図５】図３の突出体に関し、突出体を高い位置に調節した状態の組立て断面図である。
【図６】図３の突出体に関し、突出体を低い位置に調節した状態の組立て断面図である。
【考案を実施するための形態】
【００１６】
図１は本考案のインソール１０の実施例に関する外観図を示す。
【００１７】
図２は本考案のインソール１０の適当な本体１１内に突出体２０を設置し使用した状態の外観図を示す。
【００１８】
図１に示す通り、本考案のインソール１０は本体１１と複数のマッサージ用の突出体２０を組み合わせて構成する。
【００１９】
図１と図２において、前記本体１１は、人体の足底の各ツボに対応する本体１１上に最低一つもしくは複数の嵌合穴１２を設け、突出体２０を嵌設するかしないかを選択できる。
【００２０】
図３は図２の突出体２０の拡大図である。
【００２１】
図４は図３の突出体２０の分解断面図である。
【００２２】
図１及び図４において、前記突出体２０は、台部２１と蓋部２６を備え、相互に螺合結合し、中間にはバネ２４と可動ヘッド２５を内設し、組み立てた後は図３の突出体２０に示す通り構成される。
【００２３】
図４の前記突出体２０において、台部２１はその外側周囲エッジに設ける外ネジ山２２とその軸心端に設ける内設溝２３とを備え、蓋部２６は、内側周囲エッジに設け台部２１の外ネジ山２２に丁度対応して相互を螺合して結合させるための内ネジ山２７と、蓋部２６の軸心端に設け可動ヘッド２５の上端を突出させるための軸孔２８とを備え、バネ２４の働きによって可動ヘッド２５は弾性をもって突出する。
【００２４】
図５に示したものは、図３の突出体２０の組立て断面図であり、突出体２０を高い位置に調節した状態を示す。
【００２５】
図６に示したものは、図３の突出体２０の組立て断面図であり、突出体２０を低い位置に調節した状態を示す。
【００２６】
図１及び図２に示す通り、前述した本考案は、組立てにおいて、突出体２０は何れも緊密に本体１１上の任意の嵌合穴１２中に嵌設され、突出体２０は嵌合穴１２から取り外すことも可能である。
【００２７】
実際の応用において、使用者は誰でも自分の希望に合わせて、足底のマッサージの必要なツボの位置に対応する本体１１上の一つもしくは複数の嵌合穴１２にマッサージ用の突出体２０を嵌設することにより、前記インソール１０は特定の足底のツボを快適にマッサージするインソールとして構成される。
【００２８】
この他、使用者の誰でも自分の希望に合わせて、突出体２０の台部２１と蓋部２６を回転して突出体２０の高さを変えて突出体２０のマッサージ効果を調節することが可能であり、これによって本考案は予定の目的を達成する。
【００２９】
前述の通り、本考案に述べる実施例は確実に予期する効果及び目的を達成し、並びに、当該技術の熟知者は本考案の詳細説明に基づき実施が可能となる。しかし、上述の実施例は説明するために用いたものである故、同等効果の構造の変化及び本考案の精神を逸脱しない類似修正は全て本考案の範疇に属するものとする。
【符号の説明】
【００３０】
１０  インソール
１１  本体
１２  嵌合穴
２０  突出体
２１  台部
２２  外ネジ山
２３  内設溝
２４  バネ
２５  可動ヘッド
２６  蓋部
２７  内ネジ山
２８  軸孔
【図１】
0003160575.tif 000003
【図２】
0003160575.tif 000004
【図３】
0003160575.tif 000005
【図４】
0003160575.tif 000006
【図５】
0003160575.tif 000007
【図６】
0003160575.tif 000008
【手続補正書】
【提出日】平成22年4月27日(2010.4.27)
【手続補正１】
【補正対象書類名】明細書
【補正対象項目名】０００１
【補正方法】変更
【補正の内容】
【０００１】
本考案はインソールであり、特に、需要に応じてインソールに一つもしくは複数の弾性マッサージ用突出体を備えて人体のフット部に最も快適なマッサージを提供し、並びに、需要に応じて突出体を異なる高さに変化させてインソールのマッサージ効果を調節する、新世代の改良型設計に属するインソールである。
【手続補正２】
【補正対象書類名】明細書
【補正対象項目名】０００５
【補正方法】変更
【補正の内容】
【０００５】
本考案の主な目的は、希望に応じてインソールに一つもしくは複数の弾性のマッサージ用突出体を装着し、人体のフット部を最も快適にマッサージするインソールを提供することにある。
【手続補正３】
【補正対象書類名】実用新案登録請求の範囲
【補正対象項目名】全文
【補正方法】変更
【補正の内容】
【実用新案登録請求の範囲】
【請求項１】
人体の足底の各ツボに対応する位置に最低一つもしくは複数の嵌合穴を設ける平面の本体と、
台部と蓋部を相互に螺合結合し、中間にはバネと可動ヘッドを内設し、可動ヘッドの上端は蓋部の軸孔から突出させ、可動ヘッドはバネの働きによって弾性をもって突出する複数の突出体とを備え、
希望に合わせて、インソールに一つもしくは複数の突出体を装着して人体のフット部に快適なマッサージを提供することを特徴とするインソール。
【請求項２】
前記本体は、人体の足底の各ツボに対応する位置に設ける複数の嵌合穴を備えることを特徴とする請求項１記載のインソール。
【請求項３】
前記突出体は、台部の外側周囲エッジに設ける外ネジ山とその軸心端に設ける内設溝とを備え、前記蓋部には、内側周囲エッジに設け台部の外ネジ山と丁度対応し相互を回転させて結合させる内ネジ山と、蓋部の軸心端に設けて可動ヘッドの上端を突出させるための軸孔とを備えることを特徴とする請求項１記載のインソール。
【請求項４】
前記突出体は台部と蓋部を回転して異なる高さに変化可能であることを特徴とする請求項１記載のインソール。